(57)【要約】      （修正有）【課題】携帯することに違和感を生じさせない外径の細い筆記具を提供する。【解決手段】軸筒１の把持する部分に滑り止め効果を有するグリップ２３が設けられた筆記具であって、そのグリップを軸筒の縮径部１１に設けると共に、そのグリップの表面は軸筒の表面を超えない高さとする。【選択図】図２
2008006791.tif 000002
【特許請求の範囲】
【請求項１】
軸筒の把持する部分に滑り止め効果を有するグリップが設けられた筆記具であって、そのグリップを軸筒の縮径部に設けると共に、そのグリップの表面は軸筒の表面を超えない高さとしたことを特徴とする筆記具。
【請求項２】
前記グリップを縮径部の周方向に形成したローレットとしたことを特徴とする請求項１記載の筆記具。
【請求項３】
前記グリップを縮径部の長手方向に形成した縦溝としたことを特徴とする請求項１、或いは、請求項２に記載の筆記具。
【発明の詳細な説明】
【技術分野】
【０００１】
本発明は、軸筒の把持する部分に滑り止め効果を有するグリップが設けられた筆記具に関する。
【背景技術】
【０００２】
筆記具の把持する部分に滑り止め効果を有するローレットやゴム状弾性体からなるグリップを形成、或いは、取り付けた製品が市販されている。筆記による指と筆記具との滑りが防止されると共に、指などの疲れなどが緩和されると言った理由から、購入するユーザーは増加傾向にある。
その筆記具の１例を具体的に説明する。軸筒の前方には、縮径部が形成されており、その縮径部には弾性体からなるグリップが取り付けられている。そのグリップの表面には、複数の凹溝が形成されており、各凹溝の溝幅が０．１〜０．３ｍｍとなっていると共に、凹溝のピッチが０．２〜０．８ｍｍとなっている。
【０００３】
【特許文献１】特開２００４−４２３６４号公報。
【発明の開示】
【発明が解決しようとする課題】
【０００４】
しかし、上記の従来技術にあっては、軸本体部分の外径と縮径部に取り付けられているグリップの外径がほぼ同一な外径となっている。よって、この様な筆記具に筆記先端を保護するキャップを装着する場合には、そのキャップの外径を大きなものとしなければならなかった。即ち、キャップの内径をグリップの外径と少なくとも同径か、或いは、若干大きくしなければならず、必然的にキャップの外径は軸筒の外径よりも大きくしなければならないのである。その結果、携帯することに違和感を生じさせてしまったり、例えば、手帳などに装着する場合には、その手帳がかなり膨らんでしまったりしてしまう。
【課題を解決するための手段】
【０００５】
本発明は、軸筒の把持する部分に滑り止め効果を有するグリップが設けられた筆記具であって、そのグリップを軸筒の縮径部に設けると共に、そのグリップの表面は軸筒の表面を超えない高さとしたことを要旨とする。
【発明の効果】
【０００６】
本発明は、軸筒の把持する部分に滑り止め効果を有するグリップが設けられた筆記具であって、そのグリップを軸筒の縮径部に設けると共に、そのグリップの表面は軸筒の表面を超えない高さとしたので、外径の細い筆記具を提供することができる。
【発明を実施するための最良の形態】
【０００７】
図１〜図６に１例を示し説明する。軸筒１は、アクリロニトリルスチレン共重合体から成る軸本体２とポリエステルから成る尾栓３、並びに、先部材４とから構成されている。前記軸本体２と尾栓３は、その双方に円周状のリブが形成されており、そのリブによる乗り越え圧入嵌合によって固定されている。また、軸本体２の前方に取り付けられた先部材４は、切削加工によって形成されており、螺合などの手段によって着脱自在に固定されている。その先部材４は、真鍮で形成されているが、ニッケルメッキ及び電解クロメート処理が施されている。先部材４を着脱することにより、軸筒１の内部に収納されているボールペンリフィル５の交換を容易なものとしている。そのボールペンリフィル５は、インキ６、並びに、そのインキ６の後部に配置され、インキ６の消費と共に追従するグリース７を収容する収納管８と、その収容管８の前部に圧入されたチップホルダー９と、そのチップホルダー９の前部に圧入されたボールペンチップ１０から構成されている。
【０００８】
前記軸本体２の前方には、縮径部１１が形成されている。その縮径部１１の表面の円周方向には複数のローレット１２が形成されている。また、縮径部１１の長手方向には縦溝１３が形成されており、この縦溝１３を形成することによって前記ローレット１２が部分的に分断されている。分断されていると言っても、放射状であって、且つ、等間隔な位置に分断されている。前記ローレット１２は、軸筒１の長手方向に対する滑り止め効果を呈しており、縦溝１３は軸筒１の周方向に対する滑り止め効果を呈している。
ここで、一般的に、ローレット１２は、軸本体２の表面から突出した状態で形成されるが、本発明におけるローレット１２の頂部１４は、縮径部１１の表面とほぼ同等な高さとなっている。即ち、ローレット１２は、縮径部１１に周状の谷溝（谷部１５）を形成することによって形成されている。その結果、そのローレット１２の頂部１４は、前記軸本体２の表面をも越えない高さとなっている。具体的に説明すると、ローレット１２の頂部１４は、軸本体２の表面よりも、ほぼローレットの高さ（縮径部１１の表面からローレットの頂部１４までの距離Ｈ）分低く形成されている。勿論、軸本体２の表面に比し、縮径部１１の表面もローレット１２の高さ分低く形成されている。ローレット１２を軸本体２の表面よりも低い位置に形成することによって、また、縮径部１１の表面と同等の高さとすることによって、後述するキャップの外径を小さくすることができ、これによって、細い筆記具を提供することができるのである。
【０００９】
また、縮径部１１には前述したように縦溝１３が形成されているが、その縦溝１３の深さは、ローレット１２の谷部１５の深さよりも深く形成されている。この縦溝１３に指の腹が接触した際、その指の腹が十分に縦溝１３内に入り込むようにしているのである。これによって、軸筒１の周方向に対する滑り止め効果が著しく向上する。尚、本例においては、縦溝１３を等間隔な位置に６本形成しているが、これに限定されることはなく、４本以上であれば同様の効果が得られる。但し、軸本体２と共にこの縦溝１３を射出成形などの手段によって成形する場合には、金型の構成を考慮して、６本の縦溝を形成するのが好ましい。
尚、本例においては、ローレット１２の表面積よりも、縦溝１３の表面積の方が少なく形成されているが、これに限定されることなく、例えば、ローレット１２の表面積と縦溝１３の表面積を同等なものとしても良い。
前記ローレット１２の断面形状は、半円弧状（円弧部１６）をなしている。また、前記縦溝１３とローレット１２との連結部分も半円弧状の連結部（円弧部１７）で連結している。そして、前記ローレット１２の円弧部１６の半径は、縦溝１３との連結部における円弧部１７の半径よりも大きく形成されている。
前記縮径部１１の前方部には、後述するキャップの嵌合突部１８が周状に形成されており、その嵌合突部１８の前部には、射出成形の際に発生するゲートが位置する凹部１９が形成されている。ゲート残りが発生した場合におけるその突状のゲートを隠蔽するための凹部である。しかし、近年においては、軸筒１の前方部を把持するユーザーも増加する傾向にあることから、前記ゲートを縮径部１１の縦溝１３の後部に位置させるようにしても良い。
【００１０】
前記軸筒１の前方には、キャップ２０が着脱自在に取り付けられている。そのキャップ２０は、ポリエチレンテレフタレートからなるキャップ本体２１とそのキャップ本体２１の前方部に取り付けられた飾りリング２２、並びに、キャップ本体２１の前端開口部に固定されたクリップ部材２３とから構成されている。そのクリップ部材２３の前方部には、有底の筒状部２４が一体形成されており、その筒状部２４の内面には前記ボールペンチップ１０の先端部が埋没するゴム状弾性体からなる密閉部材２５が圧入・固定されている。
また、前記キャップ本体２１の後方内面には、前記縮径部１１の嵌合突起１８と係合する係合突起２６が形成されているが、その係合突起２６は部分的に形成されている。具体的に説明すると、等間隔な４箇所に形成されている。そして、その係合突起２６の前方には、係合突起２６と位置を同じくして係合突起２７が形成されているが、その部分的な係合突起２７に変え、キャップ内面の全周上に係合突起を形成しても良い。この前方に位置する係合突起２７は、キャップ２０を軸筒１の後部に嵌合する為の突起であり、軸に沿った形で滑るように着脱される、所謂、ヌル嵌合となっている。
尚、キャップ本体２１のゲートは、前記クリップ部材２３組付けた際、見えにくい位置になるようクリップ部材２３の下側に設けられている。一般的には、ゲートの位置を金型構造上、キャップ本体の開口部の内側に設けるが、樹脂の材質をポリエチレンテレフタレートとし、かつ、透明調の材質を選択した場合は好ましくない。すなわち、ポリエチレンテレフタレートはゲートの周辺が白く濁ったような色になる危険性があり、外観品質の低下を招いてしまう。そこで、本例においては、ゲートの位置をクリップ２３の下側に位置させているが、金型構造上可能であれば、クリップ部材２３の下側の内側に位置させても良い。より一層、外観品質の低下を防止することができる。
【００１１】
前記キャップ本体２１の前部に取り付けられた飾りリング２２は、ポリカーボネートから構成されており、その飾りリング２２は使用するインキの色表示をなしている。また、キャップ本体２１の前端部に固定されたクリップ部材２３は、同様にポリカーボネートから構成されている。さらに、前記筒状部２４の内側に圧入・固定されている密閉部材２５は、ニトリルブタジエンラバーやシリコーンゴム、ブチルゴムなどの弾性材質から構成されているが、使用するインキの種類や、クリップ２３の材質によって適宜選択可能である。
クリップ部材２３の筒状部２４の側部であって、前記飾りリング２２が覆う部分には、筒状部２４の内外を貫通する空気孔２８が形成されている。これは、前記密閉部材２５をクリップ部材２３の筒状部２４に挿着する際、その筒状部２４内の空気が圧縮されるが、その圧縮された空気の逃げ通路となっている。
前記クリップ部材２３の正面部と天面には島部２９が形成されており、その島部２９には使用しているインキの色やボールの直径、製品名などを記した印刷が施されている。この島部２９の大きさと同等な転写印刷をする際には、島部２９の高さは高く、また、島部２９の周辺はなるべくエッジ（角部）にすることが望ましい。ちなみに、島部２９の高さが低いと、印刷が島部２９の周縁部まで付着しまったり、また、周辺がエッジになっていないと印刷が島部２９の周辺にバリとなって残ってしまったり、或いは、島部２９の大きさより印刷部が小さくなってしまったりする。
【図面の簡単な説明】
【００１２】
【図１】本発明の１例を示す外観図（１部断面図）。
【図２】図１の縦断面図。
【図３】要部外観館図。
【図４】図３のＡ―Ａ線断面図。
【図５】図３の要部拡大図。
【図６】図４の要部拡大図。
【符号の説明】
【００１３】
１      軸筒
２      軸本体
３      尾栓
４      先部材
５      ボールペンリフィル
６      インキ
７      グリース
９      チップホルダー
１０    ボールペンチップ
１１    縮径部
１２    ローレット
１３    縦溝
１４    頂部
１５    谷部
１６    円弧部
１７    円弧部
１８    嵌合突部
１９    凹部
２０    キャップ
２１    キャップ本体
２２    飾りリング
２３    クリップ部材
２４    筒状部
２５    密閉部材
２６    係合突起
２７    係合突起
２８    空気孔
２９    島部
【図１】
2008006791.tif 000003
【図２】
2008006791.tif 000004
【図３】
2008006791.tif 000005
【図４】
2008006791.tif 000006
【図５】
2008006791.tif 000007
【図６】
2008006791.tif 000008